【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
１包の薬包紙に分包する薬剤の量を取得する取得手段と、
前記取得手段により取得した薬剤の量が、１包の薬包紙に分包すべき所定の薬剤の量を超過するか否かを判定する薬剤量判定手段と、
前記薬剤量判定手段により超過すると判定されることを条件に、前記取得手段により取得した量の薬剤を１包の薬包紙に分包するか、当該量の薬剤を複数包の薬包紙に分けて分包するかの選択を受け付ける受付手段と、
前記受付手段により、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分けて分包するとの選択を受け付けた場合には、当該量の薬剤を複数包の薬包紙に分けて分包するように制御する制御手段と
を備えることを特徴とする情報処理装置。
【請求項２】
前記薬剤量判定手段により超過すると判定されることを条件に、前記取得手段により取得した量の薬剤を１包の薬包紙に分包するか、当該量の薬剤を複数包の薬包紙に分けて分包するかの選択を受け付ける選択画面を表示するように制御する表示制御手段を備え、
前記受付手段は、前記表示制御手段で表示するように制御される前記選択画面を介して、前記取得手段により取得した量の薬剤を１包の薬包紙に分包するか、複数包の薬包紙に分けて分包するかの選択を受け付けることを特徴とする請求項１に記載の情報処理装置。
【請求項３】
前記受付手段により１包の薬包紙に分包するとの選択を受け付けた場合には前記取得手段により取得した量の薬剤を１包の薬包紙に分包する分包データを生成し、当該量の薬剤を複数包の薬包紙に分けて分包するとの選択を受け付けた場合には、当該量の薬剤を複数包の薬包紙に分けて分包する分包データを生成する第１の分包データ生成手段を備え、
前記制御手段は、前記第１の分包データ生成手段により生成した分包データに従って、薬剤を薬包紙に分包するように制御する
ことを特徴とする請求項１または２に記載の情報処理装置。
【請求項４】
１包の薬包紙に分包する薬剤の種類を取得する種類取得手段と、
前記取得手段により取得した量の薬剤を複数包の薬包紙に分けて分包するとの選択を前記受付手段により受け付けたあとに、前記種類取得手段により取得した薬剤の種類の数が所定の数を超過するか否かを判定する種類数判定手段と、
前記種類数判定手段により所定の数を超過すると判定された場合には、１包毎に薬剤の種類が区分できるように、前記取得手段により取得した量の薬剤を前記種類取得手段により取得した薬剤の種類毎に複数包の薬包紙に分けて分包する分包データを生成する第２の分包データ生成手段と
を備えることを特徴とする請求項１乃至３のいずれか１項に記載の情報処理装置。
【請求項５】
前記第２の分包データ生成手段により、前記取得手段により取得した量の薬剤を前記種類取得手段により取得した薬剤の種類毎に複数包の薬包紙に分けて分包する分包データが生成されると、薬包紙１包ごとに当該薬包紙に分包される薬剤の種類に対応する名称を、印字部により印字するように制御する印字部制御手段と、
をさらに備えることを特徴とする請求項４に記載の情報処理装置。
【請求項６】
１包の薬包紙に分包する薬剤の量を取得する取得手段と、
前記取得手段により取得した量の薬剤を１包の薬包紙に分包するか、複数包の薬包紙に分けて分包するかの選択を受け付ける受付手段と、
前記受付手段により前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御手段と
を備えることを特徴とする情報処理装置。
【請求項７】
１包の薬包紙に分包する薬剤の量を取得する取得手段と、
前記取得手段により取得した薬剤の量が、１包の薬包紙に分包すべき所定の薬剤の量を超過するかを判定する薬剤量判定手段と、
前記薬剤量判定手段により超過すると判定されることを条件に、前記取得手段により取得した量の薬剤を、１包の薬包紙に分包せずに、複数包の薬包紙に分けて分包するように制御する制御手段と
を備えることを特徴とする情報処理装置。
【請求項８】
１包の薬包紙に分包する薬剤の量を取得する取得手段を備える情報処理装置の制御方法であって、
前記情報処理装置の薬剤量判定手段が、前記取得手段により取得した薬剤の量が、１包の薬包紙に分包すべき所定の薬剤の量を超過するか否かを判定する薬剤量判定工程と、
前記情報処理装置の受付手段が、前記薬剤量判定工程で超過すると判定されることを条件に、前記取得手段により取得した量の薬剤を１包の薬包紙に分包するか、当該量の薬剤を複数包の薬包紙に分けて分包するかの選択を受け付ける受付工程と、
前記情報処理装置の制御手段が、前記受付工程で、前記取得手段により取得した量の薬剤を１包の薬包紙に分包するとの選択を受け付けた場合には、当該量の薬剤を１包の薬包紙に分包するように制御し、一方、前記取得手段で取得した量の薬剤を複数包の薬包紙に分けて分包するとの選択を受け付けた場合には、当該量の薬剤を複数包の薬包紙に分けて分包するように制御する制御工程と
を備えることを特徴とする情報処理装置の制御方法。
【請求項９】
１包の薬包紙に分包する薬剤の量を取得する取得手段を備える情報処理装置で読み取り実行可能なプログラムであって、
前記情報処理装置を、
前記取得手段により取得した薬剤の量が、１包の薬包紙に分包すべき所定の錠剤数を超過するか否かを判定する薬剤量判定手段と、
前記薬剤量判定手段により超過すると判定されることを条件に、前記取得手段により取得した量の薬剤を１包の薬包紙に分包するか、当該量の薬剤を複数包の薬包紙に分けて分包するかの選択を受け付ける受付手段と、
前記受付手段により、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分けて分包するとの選択を受け付けた場合には、当該量の薬剤を複数包の薬包紙に分けて分包するように制御する制御手段と
して機能させることを特徴とするプログラム。
【請求項１０】
１包の薬包紙に分包する薬剤の量を取得する取得手段を備える情報処理装置の制御方法であって、
前記情報処理装置の受付手段が、前記取得手段により取得した量の薬剤を１包の薬包紙に分包するか、複数包の薬包紙に分けて分包するかの選択を受け付ける受付工程と、
前記情報処理装置の制御手段が、前記受付工程で、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御工程と
を備えることを特徴とする情報処理装置の制御方法。
【請求項１１】
１包の薬包紙に分包する薬剤の量を取得する取得手段を備える情報処理装置で読み取り実行可能なプログラムであって、
前記情報処理装置を、
前記取得手段により取得した量の薬剤を１包の薬包紙に分包するか、複数包の薬包紙に分けて分包するかの選択を受け付ける受付手段と、
前記受付手段により前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御手段と
して機能させることを特徴とするプログラム。
【請求項１２】
１包の薬包紙に分包する薬剤の量を取得する取得手段を備える情報処理装置の制御方法であって、
前記情報処理装置の薬剤量判定手段が、前記取得手段により取得した薬剤の量が、１包の薬包紙に分包すべき所定の薬剤の量を超過するかを判定する薬剤量判定工程と、
前記情報処理装置の制御手段が、前記薬剤量判定工程で超過すると判定されることを条件に、前記取得手段により取得した量の薬剤を、１包の薬包紙に分包せずに、複数包の薬包紙に分けて分包するように制御する制御工程と
を備えることを特徴とする情報処理装置の制御方法。
【請求項１３】
１包の薬包紙に分包する薬剤の量を取得する取得手段を備える情報処理装置で読み取り実行可能なプログラムであって、
前記情報処理装置を、
前記取得手段により取得した薬剤の量が、１包の薬包紙に分包すべき所定の薬剤の量を超過するかを判定する薬剤量判定手段と、
前記薬剤量判定手段により超過すると判定されることを条件に、前記取得手段により取得した量の薬剤を、１包の薬包紙に分包せずに、複数包の薬包紙に分けて分包するように制御する制御手段と
して機能させることを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法、およびプログラムに関する。
【手続補正３】
【補正対象書類名】明細書
【補正対象項目名】０００１
【補正方法】変更
【補正の内容】
【０００１】
本発明は、情報処理装置、情報処理装置の制御方法、およびプログラムに関し、特に１包の薬包紙に分包する量の薬剤を複数包の薬包紙に分けて分包することにより、１包の薬包紙に分包すべき薬剤の量を超えることなく分包することができる仕組みに関する。
【手続補正４】
【補正対象書類名】明細書
【補正対象項目名】０００７
【補正方法】変更
【補正の内容】
【０００７】
本発明は、１包の薬包紙に分包する量の薬剤を複数包の薬包紙に分けて分包することにより、１包の薬包紙に分包すべき薬剤の量を超えることなく分包することができる仕組みを提供することを目的とする。
【手続補正５】
【補正対象書類名】明細書
【補正対象項目名】０００８
【補正方法】変更
【補正の内容】
【０００８】
本発明は、１包の薬包紙に分包する薬剤の量を取得する取得手段と、前記取得手段により取得した薬剤の量が、１包の薬包紙に分包すべき所定の薬剤の量を超過するか否かを判定する薬剤量判定手段と、前記薬剤量判定手段により超過すると判定されることを条件に、前記取得手段により取得した量の薬剤を１包の薬包紙に分包するか、当該量の薬剤を複数包の薬包紙に分けて分包するかの選択を受け付ける受付手段と、前記受付手段により、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分けて分包するとの選択を受け付けた場合には、当該量の薬剤を複数包の薬包紙に分けて分包するように制御する制御手段とを備えることを特徴とする。また、本発明は、１包の薬包紙に分包する薬剤の量を取得する取得手段と、前記取得手段により取得した量の薬剤を１包の薬包紙に分包するか、複数包の薬包紙に分けて分包するかの選択を受け付ける受付手段と、前記受付手段により前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御手段とを備えることを特徴とする。また、本発明は、１包の薬包紙に分包する薬剤の量を取得する取得手段と、前記取得手段により取得した薬剤の量が、１包の薬包紙に分包すべき所定の薬剤の量を超過するかを判定する薬剤量判定手段と、前記薬剤量判定手段により超過すると判定されることを条件に、前記取得手段により取得した量の薬剤を、１包の薬包紙に分包せずに、複数包の薬包紙に分けて分包するように制御する制御手段とを備えることを特徴とする。
【手続補正６】
【補正対象書類名】明細書
【補正対象項目名】０００９
【補正方法】変更
【補正の内容】
【０００９】
また、本発明は、１包の薬包紙に分包する薬剤の量を取得する取得手段を備える情報処理装置の制御方法であって、前記情報処理装置の薬剤量判定手段が、前記取得手段により取得した薬剤の量が、１包の薬包紙に分包すべき所定の薬剤の量を超過するか否かを判定する薬剤量判定工程と、前記情報処理装置の受付手段が、前記薬剤量判定工程で超過すると判定されることを条件に、前記取得手段により取得した量の薬剤を１包の薬包紙に分包するか、当該量の薬剤を複数包の薬包紙に分けて分包するかの選択を受け付ける受付工程と、前記情報処理装置の制御手段が、前記受付工程で、前記取得手段により取得した量の薬剤を１包の薬包紙に分包するとの選択を受け付けた場合には、当該量の薬剤を１包の薬包紙に分包するように制御し、一方、前記取得手段で取得した量の薬剤を複数包の薬包紙に分けて分包するとの選択を受け付けた場合には、当該量の薬剤を複数包の薬包紙に分けて分包するように制御する制御工程とを備えることを特徴とする。また、本発明は、１包の薬包紙に分包する薬剤の量を取得する取得手段を備える情報処理装置の制御方法であって、前記情報処理装置の受付手段が、前記取得手段により取得した量の薬剤を１包の薬包紙に分包するか、複数包の薬包紙に分けて分包するかの選択を受け付ける受付工程と、前記情報処理装置の制御手段が、前記受付工程で、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御工程とを備えることを特徴とする。また、本発明は、１包の薬包紙に分包する薬剤の量を取得する取得手段を備える情報処理装置の制御方法であって、前記情報処理装置の薬剤量判定手段が、前記取得手段により取得した薬剤の量が、１包の薬包紙に分包すべき所定の薬剤の量を超過するかを判定する薬剤量判定工程と、前記情報処理装置の制御手段が、前記薬剤量判定工程で超過すると判定されることを条件に、前記取得手段により取得した量の薬剤を、１包の薬包紙に分包せずに、複数包の薬包紙に分けて分包するように制御する制御工程とを備えることを特徴とする。
【手続補正７】
【補正対象書類名】明細書
【補正対象項目名】００１０
【補正方法】変更
【補正の内容】
【００１０】
また、本発明は、１包の薬包紙に分包する薬剤の量を取得する取得手段を備える情報処理装置で読み取り実行可能なプログラムであって、前記情報処理装置を、前記取得手段により取得した薬剤の量が、１包の薬包紙に分包すべき所定の錠剤数を超過するか否かを判定する薬剤量判定手段と、前記薬剤量判定手段により超過すると判定されることを条件に、前記取得手段により取得した量の薬剤を１包の薬包紙に分包するか、当該量の薬剤を複数包の薬包紙に分けて分包するかの選択を受け付ける受付手段と、前記受付手段により、前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分けて分包するとの選択を受け付けた場合には、当該量の薬剤を複数包の薬包紙に分けて分包するように制御する制御手段として機能させることを特徴とする。また、本発明は、１包の薬包紙に分包する薬剤の量を取得する取得手段を備える情報処理装置で読み取り実行可能なプログラムであって、前記情報処理装置を、前記取得手段により取得した量の薬剤を１包の薬包紙に分包するか、複数包の薬包紙に分けて分包するかの選択を受け付ける受付手段と、前記受付手段により前記取得手段により取得した量の薬剤を１包の薬包紙に分包するとの選択を受け付けた場合には、当該量の薬剤を１包の薬包紙に分包するように制御し、一方、前記取得手段により取得した量の薬剤を複数包の薬包紙に分包するとの選択を受け付けた場合には、当該量の薬剤を複数包の薬包紙に分けて分包するように制御する制御手段として機能させることを特徴とする。また、本発明は、１包の薬包紙に分包する薬剤の量を取得する取得手段を備える情報処理装置で読み取り実行可能なプログラムであって、前記情報処理装置を、前記取得手段により取得した薬剤の量が、１包の薬包紙に分包すべき所定の薬剤の量を超過するかを判定する薬剤量判定手段と、前記薬剤量判定手段により超過すると判定されることを条件に、前記取得手段により取得した量の薬剤を、１包の薬包紙に分包せずに、複数包の薬包紙に分けて分包するように制御する制御手段として機能させることを特徴とする。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明により、１包の薬包紙に分包する量の薬剤を複数包の薬包紙に分けて分包することにより、１包の薬包紙に分包すべき薬剤の量を超えることなく分包することができる。